(57)【要約】【課題】ファイバ引留めに伴う損失増加を抑制する。【解決手段】光ケーブル１０から光ファイバ１２−１〜１２−８を引きだし、リボン状に接着剤４０により相互に接着する。リボン状の光ファイバ１２−１〜１２−８を熱溶解チューブに通し、熱溶解チューブと補強材２８を熱収縮チューブ２６ａに通す。熱収縮チューブ２６ａを約１３０°Ｃで加熱する。熱収縮チューブ２６ａが収縮して、光ファイバ１２−１〜１２−８を補強材２８と一緒に固定する。収縮後の熱収縮チューブ２６ａの外側にもあるように、接着剤４０を光ファイバ１２−１〜１２−８に塗布しておく。接着剤３０で熱収縮チューブ２６を受け台３２に固定し、受け台３２をネジ３４によりベースプレート２４に固定する。光ケーブル１０の抗張力ワイヤ１８の半分をピン３６に、残り半分をピン３８に結着する。【選択図】  図１
2004219953.tif 000002
【特許請求の範囲】
【請求項１】
複数の光ファイバをリボン状に整列した状態で第１の接着剤を塗布してリボン状光ファイバを形成し、
当該リボン状光ファイバと補強材を熱収縮チューブに挿通し、
当該熱収縮チューブを加熱して収縮させ、これにより当該リボン状光ファイバ及び当該補強材を当該熱収縮チューブに固定し、
収縮した当該熱収縮チューブを第２の接着剤により受け台に固定する
ステップからなり、当該接着剤が当該熱収縮チューブの内側及び外側で当該複数の光ファイバに塗布されることを特徴とする光ファイバ引留め方法。
【請求項２】
当該複数の光ファイバが、光ケーブルから引き出されたものである請求項１に記載の光ファイバ引留め方法。
【請求項３】
当該第１の接着剤の強度が、当該補強材の強度と当該光ファイバの強度の中間である請求項１に記載の光ファイバ引留め方法。
【請求項４】
当該補強材は、断面が半円形の柱状体からなる請求項１に記載の光ファイバ引留め方法。
【請求項５】
当該リボン状光ファイバが、当該熱収縮チューブ内で当該補強材の平坦な側面に近接して配置される請求項４に記載の光ファイバ引留め方法。
【請求項６】
当該補強材がガラスからなる請求項１に記載の光ファイバ引留め方法。
【請求項７】
当該熱収縮チューブに予め当該補強材が挿通してあり、当該熱収縮チューブの空き空間に当該リボン状光ファイバを挿通する請求項１に記載の光ファイバ引留め方法。
【請求項８】
当該熱収縮チューブに予め当該補強材及び熱溶解チューブが挿通してあり、当該熱溶解チューブに当該リボン状光ファイバを挿通する請求項１に記載の光ファイバ引留め方法。
【請求項９】
リボン状光ファイバを形成すべく、複数の光ファイバをリボン状に整列した状態で互いに接着する接着剤と、
当該リボン状光ファイバを補強材と共に収容する熱収縮チューブであって、熱収縮により当該リボン状光ファイバ及び当該補強材を一体に保持する熱収縮チューブと、
当該熱収縮チューブを保持する受け台
とからなり、当該接着剤が、熱収縮後の当該熱収縮チューブの内側及び外側で当該複数の光ファイバに塗布されていることを特徴とする光ファイバ引留め装置。
【請求項１０】
当該接着剤の強度が、当該補強材の強度と当該光ファイバの強度の中間である請求項９に記載の光ファイバ引留め装置。
【請求項１１】
当該補強材は、断面が半円形の柱状体からなる請求項９に記載の光ファイバ引留め装置。
【請求項１２】
当該リボン状光ファイバが、当該熱収縮チューブ内で当該補強材の平坦な側面に近接して配置される請求項１１に記載の光ファイバ引留め装置。
【請求項１３】
当該補強材がガラスからなる請求項９に記載の光ファイバ引留め装置。
【請求項１４】
更に、当該リボン状光ファイバを挿通し、且つ当該熱収縮チューブに挿通される熱溶解チューブを具備する請求項９に記載の光ファイバ引留め装置。
【請求項１５】
第１のリボン状光ファイバ及び断面が半円形の第１の補強材を収容し、当該第１の補強材の側面に近接して第１のリボン状光ファイバを保持する第１の光ファイバ保持具と、
第２のリボン状光ファイバ及び断面が半円形の第２の補強材を収容し、当該第２の補強材の側面に近接して第２のリボン状光ファイバを保持する第２の光ファイバ保持具と、
当該第１の光ファイバ保持具の当該第１のリボン状光ファイバと、当該第２の光ファイバ保持具の当該第２のリボン状光ファイバとが近接する位置で当該第１及び第２の光ファイバ保持具を保持する受け台
とからなることを特徴とする光ファイバ引留め装置。
【請求項１６】
当該第１及び第２の補強材の各々が、断面が半円形の柱状体からなる請求項１５に記載の光ファイバ引留め装置。
【請求項１７】
当該第１の光ファイバ保持具は、当該第１のリボン状光ファイバを当該第１の補強材の平坦な側面に近接して保持し、当該第２の光ファイバ保持具は、当該第２のリボン状光ファイバを当該第２の補強材の平坦な側面に近接して保持する請求項１５に記載の光ファイバ引留め装置。
【請求項１８】
当該第１及び第２の補強材の各々がガラスからなる請求項１５に記載の光ファイバ引留め装置。
【請求項１９】
当該第１の光ファイバ保持具が、
当該第１のリボン状光ファイバを形成すべく、複数の光ファイバをリボン状に整列した状態で互いに接着する接着剤と、
当該第１のリボン状光ファイバを当該第１の補強材と共に収容する熱収縮チューブであって、熱収縮により当該第１のリボン状光ファイバ及び当該第１の補強材を一体に保持する熱収縮チューブ
とからなり、当該接着剤が、熱収縮後の当該熱収縮チューブの内側及び外側で当該複数の光ファイバに塗布されていることを特徴とする請求項１５に記載の光ファイバ引留め装置。
【請求項２０】
当該接着剤の強度が、当該第１の補強材の強度と当該第１のリボン状光ファイバを形成する各光ファイバの強度の中間である請求項１９に記載の光ファイバ引留め装置。
【請求項２１】
当該第１の補強材は、断面が半円形の柱状体からなる請求項１９に記載の光ファイバ引留め装置。
【請求項２２】
当該第１のリボン状光ファイバが、当該熱収縮チューブ内で当該第１の補強材の平坦な側面に近接して配置される請求項１９に記載の光ファイバ引留め装置。
【請求項２３】
当該第１の光ファイバ保持具が更に、当該第１のリボン状光ファイバを挿通し、且つ当該熱収縮チューブに挿通される熱溶解チューブを具備する請求項１９に記載の光ファイバ引留め装置。
【発明の詳細な説明】
【０００１】
【発明の属する技術分野】
本発明は、複数の光ファイバを所定位置に固定するのに適した光ファイバ引留め方法及び装置に関する。
【０００２】
【従来の技術】
光ファイバは、基本的に光波を伝搬するコアと、その周囲にあり、コアの屈折率より低い屈折率のクラッドからなる。光ファイバを化学的及び物理的に保護するために、光ファイバは、樹脂製の被覆材料で被覆される。このような１又は複数の光ファイバをまとめて、光ケーブルを製造する。光ケーブルは、一般に、軸方向の張力に抗し得るように、抗張力ワイヤを同時に収容している。光ケーブルには、収容する１又は複数の光ファイバを内部で固定する固定方式と、チューブ内で軸方向に移動可能に収容するルースチューブ方式とがある。ルースチューブ方式では、一般的に、複数の抗張力ワイヤが、光ファイバを収容するルースチューブの外側にそのルースチューブを囲むように配置される。
【０００３】
２つの光ケーブルの光ファイバ同士を接続する場合、各光ケーブルから光ファイバを引きだし、所定位置に固定する必要がある。そのような光ファイバ引き出し固定方法が、例えば、特開２００１−１０８８４０公報及び米国特許６４３８３００号公報に記載されている。
【０００４】
特開２００１−１０８８４０公報に記載の方法では、光ファイバの被覆材料とほぼ同一の材料となるＵＶ硬化樹脂を光ファイバを塗布し、紫外線を照射してリボン化し、得られたリボン状の光ファイバを溝に仮固定し、ＵＶ硬化樹脂をその溝に流し込み、紫外線を照射して固定する。この方法では、光ファイバに対する側圧の増加を抑制でき、その結果として、伝送損失の増加を抑制できる。
【０００５】
米国特許６４３８３００号公報に記載の方法では、熱収縮チューブを使用する。光ケーブルから引き出した複数の光ファイバを接着剤によりリボン状に固定する。熱収縮チューブ内に予めガラス製及びプラスチック製の、断面が半円形の２つの補強材を仮固定しておき、補強材の間にリボン状にされた光ファイバを挿通する。この状態で、熱収縮チューブを加熱する。加熱により熱収縮チューブは収縮し、内部の光ファイバは、２つの補強材に挟まれてしっかりと固定される。その後、熱収縮チューブを固定具の凹みに配置して、ハウジングに固定する。光ケーブルの抗張力ワイヤは、そのハウジングに固定される。
【０００６】
【発明が解決しようとする課題】
光ケーブル同士を接続する場合、光ファイバを引留める作業は、現場で行われる。従って、その作業が容易である必要がある。勿論、光ファイバの伝送損失の増加が少ない方法である必要がある。光ケーブルのジョイント部はコンパクトであることが望まれる。ジョイント部をコンパクトにするには、先ず、その構成部品を小型にしなければならない。
【０００７】
ＵＶ硬化樹脂を使用するよりも熱収縮樹脂を使用する方が、現場での作業が容易である。光ファイバの伝送損失要因は、光ファイバの曲がりである。上記の米国特許公報に記載の方法では、２つの補強材でリボン状の光ファイバを挟むので、熱収縮後に光ファイバを直線状態に維持しやすいという長所があるが、２つの補強材でリボン状光ファイバを挟んだ状態で熱収縮チューブに収容する作業は、熱収縮チューブと補強材が共に小さな部品であることを考慮すると、容易ではない。
【０００８】
また、光ケーブル内に多くの光ファイバが収容されている現状を考慮すると、光ファイバの引留め具は、より多くの光ファイバを一緒に引きとめできることが望まれる。スプライス処理等を考慮すると、複数の光ファイバをリボン状にしておくのが好ましい。これらを考慮すると、１つの熱収縮チューブで固定できる光ファイバ数は限られ、例えば、８本乃至１６本程度である。これより多くの光ファイバを一括して引留める場合、複数の熱収縮チューブを用意することになる。この場合、上述の米国特許に記載される構成では、各熱収縮チューブにおいてリボン状の光ファイバが２つの補強材で挟まれているので、２つの熱収縮チューブに固定される光ファイバ同士の距離が、２つの補強材の幅を足した距離以上になる。１つの光ケーブルから引き出された光ファイバが固定される位置が離れるほど、その固定具と光ケーブルとの間の距離を長くしなければならない。光ファイバを短い曲率半径で曲げなければならなくなり、その結果、損失が増加するからである。
【０００９】
本発明は、このような従来例の問題点を解決し、より簡単な作業で行え、損失の増加が少ない光ファイバ引留め方法及び装置を提示することを目的とする。
【００１０】
本発明はまた、多くの光ファイバをコンパクトに引留めることができる光ファイバ引留め方法及び装置を提示することを目的とする。
【００１１】
【課題を解決するための手段】
本発明に係る光ファイバ引留め方法は、複数の光ファイバをリボン状に整列した状態で第１の接着剤を塗布してリボン状光ファイバを形成し、当該リボン状光ファイバと補強材を熱収縮チューブに挿通し、当該熱収縮チューブを加熱して収縮させ、これにより当該リボン状光ファイバ及び当該補強材を当該熱収縮チューブに固定し、収縮した当該熱収縮チューブを第２の接着剤により受け台に固定することからなり、当該接着剤が当該熱収縮チューブの内側及び外側で当該複数の光ファイバに塗布されることを特徴とする。
【００１２】
本発明に係る光ファイバ引留め装置は、リボン状光ファイバを形成すべく、複数の光ファイバをリボン状に整列した状態で互いに接着する接着剤と、当該リボン状光ファイバを補強材と共に収容する熱収縮チューブであって、熱収縮により当該リボン状光ファイバ及び当該補強材を一体に保持する熱収縮チューブと、当該熱収縮チューブを保持する受け台とからなり、当該接着剤が、熱収縮後の当該熱収縮チューブの内側及び外側で当該複数の光ファイバに塗布されていることを特徴とする。
【００１３】
本発明に係る光ファイバ引留め装置は、第１のリボン状光ファイバ及び断面が半円形の第１の補強材を収容し、当該第１の補強材の側面に近接して第１のリボン状光ファイバを保持する第１の光ファイバ保持具と、第２のリボン状光ファイバ及び断面が半円形の第２の補強材を収容し、当該第２の補強材の側面に近接して第２のリボン状光ファイバを保持する第２の光ファイバ保持具と、当該第１の光ファイバ保持具の当該第１のリボン状光ファイバと、当該第２の光ファイバ保持具の当該第２のリボン状光ファイバとが近接する位置で当該第１及び第２の光ファイバ保持具を保持する受け台とからなることを特徴とする。
【００１４】
【実施例】
以下、図面を参照して、本発明の実施例を詳細に説明する。
【００１５】
図１は、本発明の一実施例により光ファイバを引留めた状態の斜視図を示す。なお、構造を理解しやすいように、縦横を適宜に拡大して図示してある。
【００１６】
光ケーブル１０は、ルースチューブ構造からなり、図１には、その主要な構成要素のみを図示してある。複数（図１に示すでは、８本）の光ファイバ１２−１〜１２−８が、ポリエチレンテレフタレートなどからなるチューブ１４（ルースチューブ）に、チクソトロピック・ゲル等のゼリー状物質と共にルースに収容される。ルースチューブ１４は、半径方向に３分割したスチールセグメント１６に収容される。スチールセグメント１６の外側に抗張力ワイヤ１８が配置される。これら全体をポリエチレン等からなる外皮材２０で覆っている。このような光ケーブルは、例えば、特開２００１−１５４０７０公報、米国特許第４６４５２９８号公報、米国特許第４８２６２７８号公報、米国特許第４７０１０１６号公報、及び米国特許第４９７１４１９号公報等に記載されている。
【００１７】
光ファイバ引留め装置２２は、例えば、２つの光ケーブルのジョイント装置、光中継装置、光増幅装置、光送信装置及び光受信装置等、光ファイバを引留める必要のある箇所に配置される。図１では、光ケーブル１０と光ファイバ引留め装置２２との間の光ファイバ１２−１〜１２−８及び抗張力ワイヤ１８は、一点鎖線で図示してある。
【００１８】
光ファイバ引留め装置２２のベースプレート２４は、図示しないハウジングに固定される。光ケーブル１０から引き出された光ファイバ１２−１〜１２−８は、光ファイバ保持具２６によりリボン状に保持される。光ファイバ保持具２６は更に、保持する光ファイバ１２−１〜１２−８と平行に延びる、断面が半円形の補強材２８も収容する。補強材２８は、光ファイバ保持具２６の横方向及び軸方向の変形を抑制する目的で内部に収容される。補強材２８は、ガラス又はプラスチックからなり、好ましくは、光ファイバ１２−１〜１２−８と同じ又は近似した熱膨張係数の材料からなる。補強材２８の平坦な側面部分に光ファイバ１２−１〜１２−８を固定することで、１つの補強材２８でも、光ファイバ１２−１〜１２−８に対して十分な引き留め力が得られるとともに、引き留め部の小型化が可能になる。
【００１９】
光ファイバ保持具２６は、接着剤３０により金属製の受け台３２に固定される。受け台３２は、左端及び右端に壁が立ち上がり、その壁の間に光ファイバ保持具２６を受け入れ可能になっている。受け台３２は、ネジ３４等によりベースプレート２４に固定される。受け台３２を使用する代わりに、ベースプレート２４自体に、光ファイバ保持具２６を部分的に受け入れ可能な溝を設け、その溝に光ファイバ保持具２６をはめ込み、接着剤で光ファイバ保持具２６をその溝内に固定しても良い。
【００２０】
光ファイバ保持具２６に光ファイバ１２−１〜１２−８を固定する手順は、後で詳細に説明する。
【００２１】
光ケーブル１０の抗張力ワイヤ１８は、その半分が、ベースプレート２４のピン３６に固定され、残り半分がピン３８に固定される。ピン３６とピン３８の間で、受け台３２がベースプレート２４に固定される。抗張力ワイヤ１８をベースプレート２４に固定する方法は、図示例に限定されず、その他の方法を採用し得ることは明らかである。
【００２２】
図２は、光ファイバ保持具２６の使用前の分解斜視図を示す。光ファイバ保持具２６は、基本的な構成要素として、熱収縮チューブ２６ａ、補強材２８及び熱溶解チューブ２６ｂからなる。熱溶解チューブ２６ｂは、リボン状の光ファイバ１２−１〜１２−８を収容可能なサイズからなる。熱収縮チューブ２６ａは、熱溶解チューブ２６ｂと補強材２８を一緒に収容できるサイズからなる。熱収縮チューブ２６ａは、１３０°Ｃ程度の加熱で収縮するプラスチック材料からなり、熱溶解チューブ２６ｂは、１３０°Ｃ程度の加熱で溶解するプラスチック材料からなる。
【００２３】
熱収縮チューブ２６ａ、補強材２８及び熱溶解チューブ２６ｂの長さは同じである。熱収縮チューブ２６ａが加熱により収縮して短くなることを考慮すると、補強材２８は熱収縮チューブ２６ａより僅かに短くても良い。
【００２４】
図３は、光ファイバ保持具２６に光ファイバ１２−１〜１２−８を固定する本実施例の手順を示す。
【００２５】
光ケーブル１０の外皮２０を剥いて光ファイバ１２−１〜１２−８を引きだす。引き出した光ファイバ１２−１〜１２−８を図３（１）に示すようにクリップなどによりリボン状に仮に整列させ、接着剤４０により相互に接着する。但し、接着剤４０は、熱収縮チューブ２６ａ内で光ファイバ１２−１〜１２〜８の全面に一様に塗布されている必要は無い。接着剤４０の強度は、光ファイバ１２−１〜１２−８の強度と熱収縮チューブ２６ａの強度の中間であるのが好ましく、この点で、この接着剤４０としてアクリル系接着剤が適している。熱収縮チューブ２６ａから外にはみ出るように広めに光ファイバ１２−１〜１２−８に接着剤４０を塗布するのが好ましい。これにより、光ファイバ１２−１〜１２−８に作用する外力、曲げ及び温度変化に対して耐力が大きくなり、曲げ損失の原因となるマイクロベンドの発生が抑えられる。
【００２６】
図３（２）に示すようにリボン状に相互に固定した光ファイバ１２−１〜１２−８を、図３（３）に示すように熱溶解チューブ２６ｂに通す。その熱溶解チューブ２６ｂと補強材２８を一緒に、図３（４）に示すように熱収縮チューブ２６ａに通す。実際には、補強材２８及び熱溶解チューブ２６ｂを熱収縮チューブ２６ａ内で適切な位置に予め仮固定しておき、その熱溶解チューブ２６ｂ内に、接着剤４０を塗布したリボン状の光ファイバ１２−１〜１２−８を挿入する。
【００２７】
図３（４）に示す状態で、熱収縮チューブ２６ａを１００乃至１３０°Ｃで加熱する。すると、熱溶解チューブ２６ｂが溶解して光ファイバ１２−１〜１２−８の間に入り込み、熱収縮チューブ２６ａが収縮して、光ファイバ１２−１〜１２−８を補強材２８と一緒に固定する。この状態を図３（５）に示す。光ファイバ１２−１〜１２−８が補強材２８の平坦な面に接しているので、光ファイバ１２−１〜１２−８は平坦なリボン状に保持される。接着剤４０は、予め、収縮後の熱収縮チューブ２６ａからはみ出るように、光ファイバ１２−１〜１２−８に塗布されている。これにより、先に説明したように、補強材２８の近辺、即ち、光ファイバ保持具２６の近辺における光ファイバ１２−１〜１２−８の曲がりを抑制する。
【００２８】
このように、光ファイバ１２−１〜１２−８を固定的に保持する光ファイバ保持具２６を受け台３２に入れ、周囲に接着剤３０を流し込んで光ファイバ保持具２６を受け台３２に接着する。光ファイバ保持具２６を受け台３２に固定する前又は後に、受け台３２をベースプレート２４にネジ３４により固定する。
【００２９】
光ファイバ保持具２６は、熱収縮チューブ２６ａの収縮後では、図１に示すように、その断面がほぼ半円形になり、補強材２８の平坦面にリボン状の光ファイバ１２−１〜１２−８が密接する。これにより、図１に示すように、熱収縮後の光ファイバ保持具２６を受け台３２に設置しやすい。
【００３０】
また、光ファイバ保持具２６内では、光ファイバ１２−１〜１２−８が偏っている。これを利用することにより、本実施例では、２つの光ファイバ保持具を併置した場合に、それぞれの光ファイバを近い位置に配置できる。これは、同じ光ケーブルから引き出した光ファイバを２つの光ファイバ保持具で保持する場合に、光ケーブルと光ファイバ保持具との間の距離を短くすることができることを意味する。
【００３１】
図４は、２つの光ファイバ保持具を受け台に併置した場合の、光ファイバの軸方向から見た側面図を示す。受け台３２に対応する受け台５０は、中央に仕切り壁５２を具備し、その仕切り壁５２を挟んで２つの光ファイバ保持具５４，５６を収容可能である。各光ファイバ具５４，５６は、光ファイバ保持具２６と同じ構成から成る。即ち、光ファイバ保持具５４は、接着剤５８によりリボン状に整列された光ファイバ６０を補強材６２と共に熱収縮チューブ６４で保持し、光ファイバ保持具５６は、接着剤６６によりリボン状に整列された光ファイバ６８を補強材７０と共に熱収縮チューブ７２で保持する。補強材６２，７０は、補強材２８と同じ材料からなる。ここでも、接着剤５８，６６は、それぞれ光ファイバ保持具５４，５６から両側にはみ出る位置まで塗布されている。但し、接着剤４０の場合と同様に、接着剤５８，６６は、それぞれ、光ファイバ保持具５４，５６内で光ファイバ６０，６８の全面に一様に塗布されている必要は無い。
【００３２】
図４に示すように、各光ファイバ保持具５４，５６の平坦な側面、即ち、光ファイバ６０，６８に近い側面が受け台５０の仕切り壁５２に対面するように光ファイバ保持具５４，５６を受け台５０に収容し、光ファイバ保持具５４，５６をそれぞれ接着剤７４，７６で受け台５０に固定する。光ファイバ保持具５４，５６を受け台５０に固定する前又は後に、受け台５０をベースプレート２４と同様のベースプレートにネジにより固定する。
【００３３】
図４に示す構成では、光ファイバ６０，６８が実質的に、光ファイバ保持具５４，５６の熱収縮チューブ６４，７２の厚みと仕切り壁５２の厚み分だけ離れる。リボン状の光ファイバを２つの補強材でサンドイッチする従来例では、２つのリボン状光ファイバの距離は、２つの補強材の厚み分以上になるが、本実施例では、２つのリボン状光ファイバの間に補強材が入らないので、リボン状光ファイバの距離が従来例よりも格段に狭くなる。これにより、光ケーブルからの光ファイバの引き出し距離を短くすることができる。即ち、光ファイバの引留めに要するファイバ長を短くすることができる。これは、光ケーブルのジョイント部及び光ファイバの引留め装置の小型化に寄与する。
【００３４】
仕切り壁５２の無い受け台５０に、光ファイバ保持具５４，５６を図４に示すように対面させた状態で収容することは、さほど難しくは無い。即ち、仕切り壁５２を省略できる。この場合、光ファイバ６０，６８間の距離を更に短縮できる。
【００３５】
抗張力ワイヤを有する光ケーブルの光ファイバを引留める実施例を説明したが、本発明は、複数の光ファイバを一括して引留める場合に一般的に適用可能である。
【００３６】
【発明の効果】
以上の説明から容易に理解できるように、本発明によれば、光ファイバの引留めに伴う損失増加を抑制でき、引留め部分を小型化できる。
【図面の簡単な説明】
【図１】本発明の一実施例の外観斜視図である。
【図２】本実施例の光ファイバ保持具２６の構成要素の斜視図である。
【図３】光ファイバ保持具２６に光ファイバ１２−１〜１２−８を固定する手順を示す模式図である。
【図４】２つの光ファイバ保持具を併置する構成の側面図である。
【符号の説明】
１０：光ケーブル
１２−１〜１２−８：光ファイバ
１４：ルースチューブ
１６：スチールセグメント
１８：抗張力ワイヤ
２０：外皮材
２２：光ファイバ引留め装置
２４：ベースプレート
２６：光ファイバ保持具
２６ａ：熱収縮チューブ
２６ｂ：熱溶解チューブ
２８：補強材
３０：接着剤
３２：受け台
３４：ネジ
３６，３８：ピン
４０：接着剤
５０：受け台
５２：仕切り壁
５４，５６：光ファイバ保持具
５８：接着剤
６０：光ファイバ
６２：補強材
６４：熱収縮チューブ
６６：接着剤
６８：光ファイバ
７０：補強材
７２：熱収縮チューブ
７４，７６：接着剤
【図１】
2004219953.tif 000003
【図２】
2004219953.tif 000004
【図３】
2004219953.tif 000005
【図４】
2004219953.tif 000006